(57)【特許請求の範囲】
【請求項１】
移動通信ネットワークを介して通信するための通信手段と、近距離で通信するためのローカル通信手段とを有する移動端末、
コンピュータネットワークを介して通信するための通信手段と、前記ローカル通信手段に対応するローカル通信手段とを有し、当該ローカル通信手段を使用して前記移動端末に対して機器情報を送信する第１装置、および
前記移動通信ネットワークを介して前記移動端末と通信するための通信手段と、前記コンピュータネットワークを介して前記第１装置と通信するための通信手段とを有し、前記移動通信ネットワークを介して前記移動端末から取得される前記機器情報に基づいて、前記コンピュータネットワークを介して前記第１装置に対してデータを送信する第２装置
を有することを特徴とするデータ送受信システム。
【請求項２】
前記機器情報は、前記第１装置の識別コードおよび通信プロトコルを含んでいることを特徴とする請求項１に記載のデータ送受信システム。
【請求項３】
前記識別コードは、サーバ名およびディレクトリ名による指定・ＵＲＬによる指定・ＩＰアドレス・電子メールアドレスのいずれか１つであることを特徴とする請求項２に記載のデータ送受信システム。
【請求項４】
前記機器情報は、前記第１装置の仕様情報を含んでいることを特徴とする請求項２に記載のデータ送受信システム。
【請求項５】
前記第１装置は、印刷手段を有し、前記仕様情報は、印字解像度・印字モード・制御コマンド・用紙サイズを含み、前記データは、文書データであることを特徴とする請求項４に記載のデータ送受信システム。
【請求項６】
前記第１装置は、複数の通信プロトコルに対応しており、
前記データ送受信システムは、前記通信プロトコルを択一的に指定するための手段を有していることを特徴とする請求項２に記載のデータ送受信システム。
【請求項７】
前記第１装置は、機密保持機能を有しており、
前記データ送受信システムは、機密保持機能を解除するパスワードを入力するための手段を有していることを特徴とする請求項１に記載のデータ送受信システム。
【請求項８】
前記第２装置から前記第１装置へのデータの送信を、取り消すための手段を有していることを特徴とする請求項１に記載のデータ送受信システム。
【請求項９】
前記第２装置から前記第１装置へのデータの送信を待機させるための手段を有していることを特徴とする請求項１に記載のデータ送受信システム。
【請求項１０】
前記第１機器は、複数であり、
前記データ送受信システムは、前記第１機器のいずれか一つを送信先として選択するための手段を有していることを特徴とする請求項１に記載のデータ送受信システム。
【請求項１１】
移動通信ネットワークを介して通信するための通信手段と、近距離で通信するためのローカル通信手段とを有する移動端末、
コンピュータネットワークを介して通信するための通信手段と、前記移動通信ネットワークを介して前記移動端末と通信するための通信手段とを有する第１装置、および
前記コンピュータネットワークを介して前記第１装置と通信するための通信手段と、移動端末の前記ローカル通信手段に対応するローカル通信手段とを有する第２装置
を有するデータ送受信システムであって、
前記第２装置は、前記移動通信ネットワークを介して、前記移動端末に対して機器情報を送信し、
前記移動端末は、前記ローカル通信手段を使用して、前記第１装置に対して前記第２装置の機器情報を送信し、
前記第１装置は、前記第２装置の機器情報に基づいて、前記コンピュータネットワークを介して、前記第２装置に対して自己の機器情報を送信し、データの送信を要求する
ことを特徴とするデータ送受信システム。
【請求項１２】
移動通信ネットワークを介して通信するための通信手段と、近距離で通信するためのローカル通信手段とを有する第１移動端末、
コンピュータネットワークを介して通信するための通信手段と、第１移動端末の前記ローカル通信手段に対応するローカル通信手段とを有し、当該ローカル通信手段を使用して前記第１移動端末に対して機器情報を送信する第１装置、
前記移動通信ネットワークを介して前記第１移動端末と通信するための通信手段と、近距離で通信するためのローカル通信手段とを有し、前記移動通信ネットワークを介して前記第１移動端末から前記機器情報を受信する第２移動端末、および
前記コンピュータネットワークを介して前記第１装置と通信するための通信手段と、第２移動端末の前記ローカル通信手段に対応するローカル通信手段とを有し、当該ローカル通信手段を使用して前記第２移動端末から取得される前記機器情報に基づいて、前記コンピュータネットワークを介して前記第１装置に対してデータを送信する第２装置
を有することを特徴とするデータ送受信システム。
【請求項１３】
前記第２機器は、複数であり、
前記データ送受信システムは、前記第２機器のいずれか一つを送信元として選択するための手段を有していることを特徴とする請求項１２に記載のデータ送受信システム。
【請求項１４】
前記データは、音声データの符号化データであり、
前記第１装置は、音声データを符号化／復号化するためのコーデック手段を有し、前記ローカル通信手段を使用して前記第１移動端末から送信される音声データを、前記コンピュータネットワークを介して前記第２装置に送信するために符号化すると共に、前記コンピュータネットワークを介して前記第２装置から送信される符号化データを音声データに復号し、前記ローカル通信手段を使用して前記第１移動端末に送信し、かつ
前記第２装置は、音声データを符号化／復号化するためのコーデック手段を有し、前記ローカル通信手段を使用して前記第２移動端末から送信される音声データを、前記コンピュータネットワークを介して前記第１装置に送信するために符号化すると共に、前記コンピュータネットワークを介して前記第１装置から送信される符号化データを音声データに復号し、前記ローカル通信手段を使用して前記第２移動端末に送信する
ことを特徴とする請求項１２に記載のデータ送受信システム。
【請求項１５】
コンピュータネットワークを介して通信するための通信手段と近距離で通信するためのローカル通信手段とを有する第１装置から、前記ローカル通信手段を使用して送信される機器情報を受信するためのローカル通信手段、および
移動通信ネットワークを介して通信するための通信手段と前記コンピュータネットワークを介して前記第１装置と通信するための通信手段とを有する第２装置から、前記コンピュータネットワークを介して前記第１装置に向けてデータを送信させるために、前記第２装置に対し、前記移動通信ネットワークを介して前記機器情報を送信するための通信手段
を有することを特徴とする移動端末。
【請求項１６】
移動通信ネットワークを介して通信するための通信手段と近距離で通信するためのローカル通信手段とを有する移動端末に対し、機器情報を送信するためのローカル通信手段、および
前記移動通信ネットワークを介して前記移動端末から前記機器情報を取得するための通信手段と、コンピュータネットワークを介して通信するための通信手段とを有するデータ送信装置から、前記機器情報に基づいて前記コンピュータネットワークを介して送信されるデータを、受信するための通信手段
を有することを特徴とするデータ受信装置。
【請求項１７】
移動通信ネットワークを介して通信するための通信手段と近距離で通信するためのローカル通信手段とを有する移動端末から、前記ローカル通信手段に対応するローカル通信手段とコンピュータネットワークを介して通信するための通信手段とを有するデータ受信装置の機器情報を、前記移動通信ネットワークを介して取得するための通信手段、および
前記機器情報に基づいて、前記コンピュータネットワークを介して前記データ受信装置に向けてデータを送信するための通信手段
を有することを特徴とするデータ送信装置。
【請求項１８】
移動通信ネットワークを介して、移動端末に対して第１装置の機器情報を要求するステップ、
近距離で通信するためのローカル通信手段を使用して、第１装置の機器情報を取得するステップ、
前記移動通信ネットワークを介して、前記機器情報を、前記移動端末から第２装置に送信するステップ、および
前記機器情報に基づいて、コンピュータネットワークを介して、前記第２装置から前記第１装置にデータを送信するステップ
を有することを特徴とするデータ送受信方法。
【発明の詳細な説明】
【０００１】
【発明の属する技術分野】
本発明は、移動端末を利用するデータの送受信に関する。
【０００２】
【従来の技術】
移動端末は、携帯性が重視されるため、小型・軽量化・低消費電力化が推し進められている。したがって、移動端末は、通話機能以外の機能に関しては制約が多い。そのため、移動端末が有しない機能を、近距離に位置する別の装置を利用して実現することで、移動端末の機能を補うことが提案されている。
【０００３】
例えば、特開平９−２８４８４７号公報は、携帯電話装置，ＰＨＳ，自動車電話装置，ページャ等の携帯無線装置とその携帯無線装置を用いた携帯無線通信システムを開示している。当該システムにおいては、外出時に携帯した移動端末によってファクシミリ受信がなされ、その受信した画情報が外出先の任意のファクシミリ装置によって印刷出力される。
【０００４】
【発明が解決しようとする課題】
しかし、上記公報に係る発明においては、受信されるファクシミリデータの全てが、移動端末の記憶装置に一旦保存される。したがって、データの送受信は、移動端末の記憶装置の容量の制約を受ける。また、当該発明は、ファクシミリデータ以外のデータの送受信には適用できず、汎用性に欠けている。
【０００５】
本発明は、このような従来の問題を解決するために成されたものであり、データの送受信に関する汎用的な適用性を有する一方、移動端末の機能による制約を受けることなく、移動端末が有しない機能を、近距離に位置する別の装置を利用して実現することを目的とする。
【０００６】
【課題を解決するための手段】
上記目的を達成するための本発明は次のように構成される。
【０００７】
（１）移動通信ネットワークを介して通信するための通信手段と、近距離で通信するためのローカル通信手段とを有する移動端末、
コンピュータネットワークを介して通信するための通信手段と、前記ローカル通信手段に対応するローカル通信手段とを有し、当該ローカル通信手段を使用して前記移動端末に対して機器情報を送信する第１装置、および
前記移動通信ネットワークを介して前記移動端末と通信するための通信手段と、前記コンピュータネットワークを介して前記第１装置と通信するための通信手段とを有し、前記移動通信ネットワークを介して前記移動端末から取得される前記機器情報に基づいて、前記コンピュータネットワークを介して前記第１装置に対してデータを送信する第２装置
を有することを特徴とするデータ送受信システム。
【０００８】
（２）前記機器情報は、前記第１装置の識別コードおよび通信プロトコルを含んでいることを特徴とする上記（１）に記載のデータ送受信システム。
【０００９】
（３）前記識別コードは、サーバ名およびディレクトリ名による指定・ＵＲＬによる指定・ＩＰアドレス・電子メールアドレスのいずれか１つであることを特徴とする上記（２）に記載のデータ送受信システム。
【００１０】
（４）前記機器情報は、前記第１装置の仕様情報を含んでいることを特徴とする上記（２）に記載のデータ送受信システム。
【００１１】
（５）前記第１装置は、印刷手段を有し、前記仕様情報は、印字解像度・印字モード・制御コマンド・用紙サイズを含み、前記データは、文書データであることを特徴とする上記（４）に記載のデータ送受信システム。
【００１２】
（６）前記第１装置は、複数の通信プロトコルに対応しており、
前記データ送受信システムは、前記通信プロトコルを択一的に指定するための手段を有していることを特徴とする上記（２）に記載のデータ送受信システム。
【００１３】
（７）前記第１装置は、機密保持機能を有しており、
前記データ送受信システムは、機密保持機能を解除するパスワードを入力するための手段を有していることを特徴とする上記（１）に記載のデータ送受信システム。
【００１４】
（８）前記第２装置から前記第１装置へのデータの送信を、取り消すための手段を有していることを特徴とする上記（１）に記載のデータ送受信システム。
【００１５】
（９）前記第２装置から前記第１装置へのデータの送信を待機させるための手段を有していることを特徴とする上記（１）に記載のデータ送受信システム。
【００１６】
（１０）前記第１機器は、複数であり、
前記データ送受信システムは、前記第１機器のいずれか一つを送信先として選択するための手段を有していることを特徴とする上記（１）に記載のデータ送受信システム。
【００１７】
（１１）移動通信ネットワークを介して通信するための通信手段と、近距離で通信するためのローカル通信手段とを有する移動端末、
コンピュータネットワークを介して通信するための通信手段と、前記移動通信ネットワークを介して前記移動端末と通信するための通信手段とを有する第１装置、および
前記コンピュータネットワークを介して前記第１装置と通信するための通信手段と、移動端末の前記ローカル通信手段に対応するローカル通信手段とを有する第２装置
を有するデータ送受信システムであって、
前記第２装置は、前記移動通信ネットワークを介して、前記移動端末に対して機器情報を送信し、
前記移動端末は、前記ローカル通信手段を使用して、前記第１装置に対して前記第２装置の機器情報を送信し、
前記第１装置は、前記第２装置の機器情報に基づいて、前記コンピュータネットワークを介して、前記第２装置に対して自己の機器情報を送信し、データの送信を要求する
ことを特徴とするデータ送受信システム。
【００１８】
（１２）移動通信ネットワークを介して通信するための通信手段と、近距離で通信するためのローカル通信手段とを有する第１移動端末、
コンピュータネットワークを介して通信するための通信手段と、第１移動端末の前記ローカル通信手段に対応するローカル通信手段とを有し、当該ローカル通信手段を使用して前記第１移動端末に対して機器情報を送信する第１装置、
前記移動通信ネットワークを介して前記第１移動端末と通信するための通信手段と、近距離で通信するためのローカル通信手段とを有し、前記移動通信ネットワークを介して前記第１移動端末から前記機器情報を受信する第２移動端末、および
前記コンピュータネットワークを介して前記第１装置と通信するための通信手段と、第２移動端末の前記ローカル通信手段に対応するローカル通信手段とを有し、当該ローカル通信手段を使用して前記第２移動端末から取得される前記機器情報に基づいて、前記コンピュータネットワークを介して前記第１装置に対してデータを送信する第２装置
を有することを特徴とするデータ送受信システム。
【００１９】
（１３）前記第２機器は、複数であり、
前記データ送受信システムは、前記第２機器のいずれか一つを送信元として選択するための手段を有していることを特徴とする上記（１２）に記載のデータ送受信システム。
【００２０】
（１４）前記データは、音声データの符号化データであり、
前記第１装置は、音声データを符号化／復号化するためのコーデック手段を有し、前記ローカル通信手段を使用して前記第１移動端末から送信される音声データを、前記コンピュータネットワークを介して前記第２装置に送信するために符号化すると共に、前記コンピュータネットワークを介して前記第２装置から送信される符号化データを音声データに復号し、前記ローカル通信手段を使用して前記第１移動端末に送信し、かつ
前記第２装置は、音声データを符号化／復号化するためのコーデック手段を有し、前記ローカル通信手段を使用して前記第２移動端末から送信される音声データを、前記コンピュータネットワークを介して前記第１装置に送信するために符号化すると共に、前記コンピュータネットワークを介して前記第１装置から送信される符号化データを音声データに復号し、前記ローカル通信手段を使用して前記第２移動端末に送信する
ことを特徴とする上記（１２）に記載のデータ送受信システム。
【００２１】
（１５）コンピュータネットワークを介して通信するための通信手段と近距離で通信するためのローカル通信手段とを有する第１装置から、前記ローカル通信手段を使用して送信される機器情報を受信するためのローカル通信手段、および移動通信ネットワークを介して通信するための通信手段と前記コンピュータネットワークを介して前記第１装置と通信するための通信手段とを有する第２装置から、前記コンピュータネットワークを介して前記第１装置に向けてデータを送信させるために、前記第２装置に対し、前記移動通信ネットワークを介して前記機器情報を送信するための通信手段
を有することを特徴とする移動端末。
【００２２】
（１６）移動通信ネットワークを介して通信するための通信手段と近距離で通信するためのローカル通信手段とを有する移動端末に対し、機器情報を送信するためのローカル通信手段、および
前記移動通信ネットワークを介して前記移動端末から前記機器情報を取得するための通信手段と、コンピュータネットワークを介して通信するための通信手段とを有するデータ送信装置から、前記機器情報に基づいて前記コンピュータネットワークを介して送信されるデータを、受信するための通信手段
を有することを特徴とするデータ受信装置。
【００２３】
（１７）移動通信ネットワークを介して通信するための通信手段と近距離で通信するためのローカル通信手段とを有する移動端末から、前記ローカル通信手段に対応するローカル通信手段とコンピュータネットワークを介して通信するための通信手段とを有するデータ受信装置の機器情報を、前記移動通信ネットワークを介して取得するための通信手段、および
前記機器情報に基づいて、前記コンピュータネットワークを介して前記データ受信装置に向けてデータを送信するための通信手段
を有することを特徴とするデータ送信装置。
【００２４】
（１８）移動通信ネットワークを介して、移動端末に対して第１装置の機器情報を要求するステップ、
近距離で通信するためのローカル通信手段を使用して、第１装置の機器情報を取得するステップ、
前記移動通信ネットワークを介して、前記機器情報を、前記移動端末から第２装置に送信するステップ、および
前記機器情報に基づいて、コンピュータネットワークを介して、前記第２装置から前記第１装置にデータを送信するステップ
を有することを特徴とするデータ送受信方法。
【００２５】
【発明の実施の形態】
次に、本発明に係る実施の形態を図面を参照して詳細に説明する。
［実施の形態１−１］
実施の形態１−１に係るデータ送受信システムは、図１に示されるように、移動端末１０・データ受信装置（第１装置）３０・データ送信装置（第２装置）５０を有する。
【００２６】
移動端末１０は、近距離で通信するための機器間無線接続によりデータ受信装置３０と通信可能であり、また、移動通信ネットワーク７０を介してデータ送信装置５０と通信可能である。つまり、移動端末１０は、移動通信ネットワーク７０を介して通信するための通信手段と、近距離で通信するためのローカル通信手段とを有する。詳しくは、移動通信ネットワーク７０は、移動端末１０と無線通信する基地局７１・データ送信装置５０と無線通信する基地局７３・基地局７１および基地局７３を接続する移動通信交換機７２を有している。なお、移動端末１０およびデータ送信装置５０が同一セル内に位置する場合は、基地局は共通となる。
【００２７】
データ受信装置３０は、コンピュータネットワーク９０を介して通信するための通信手段と、前記ローカル通信手段に対応する近距離で通信するためのローカル通信手段とを有している。また。データ送信装置５０は、移動通信ネットワーク７０を介して移動端末１０と通信するための通信手段と、コンピュータネットワーク９０を介してデータ受信装置３０と通信するための通信手段とを有する。
【００２８】
つまり、データ受信装置３０およびデータ送信装置５０は、コンピュータネットワーク９０を介して通信可能である。コンピュータネットワーク９０は、例えば、構内情報通信網（ＬＡＮ）、広域情報通信網（ＷＡＮ）あるいはインターネットである。
【００２９】
次に、図２〜図４を参照し、移動端末１０・データ受信装置３０・データ送信装置５０の構成を、詳細に説明する。
【００３０】
移動端末１０は、図２に示されるように、制御部（ＣＰＵ）１１・読取専用記憶装置（ＲＯＭ）１２・ランダムアクセス記憶装置（ＲＡＭ）１３・データ処理部１４・操作部１５・音声入出力部１６・移動通信ネットワーク７０用のインターフェイス部１７・機器間無線接続用のインターフェイス部１８・バッテリー部１９を有し、これらは、バス２０を介して相互に接続されている。なお、操作部１５は、データを入力するためのキーボード部およびデータを表示するための液晶表示部を有しており、音声入出力部１６は、音声を入力するためのマイク部および音声を再生するためのスピーカ部を有している。
【００３１】
機器間無線接続は、例えば、２．４ＧＨｚ帯の電波や波長８５０ｎｍ〜９５０ｎｍの赤外線を利用する無線ＬＡＮ（ＩＥＥＥ８０２．１１）、２．４ＧＨｚ帯の電波を利用するＢｌｕｅｔｏｏｔｈ、あるいは赤外線データ通信のＩｒＤＡ（infrared data association）規格が適用可能である。なお、移動端末１０としてＰＨＳ（personal handy phone system）が適用されている場合は、ＰＨＳのトランシーバ機能を機器間無線接続に利用することも可能である。
【００３２】
データ受信装置３０は、デジタルカラー複写機であり、図３に示されるように、制御部（ＣＰＵ）３１・読取専用記憶装置（ＲＯＭ）３２・ランダムアクセス記憶装置（ＲＡＭ）３３・データ処理部３４・操作部３５・画像読取部３６・印刷部３７・コンピュータネットワーク９０用のインターフェイス部３８・機器間無線接続用のインターフェイス部３９を有し、これらは、バス４０を介して相互に接続されている。インターフェイス部３８は、例えば、ネットワークインターフェースカード（ＮＩＣ）から構成される。なお、インターフェイス部３９は、移動端末１０のインターフェイス部１８と対応している。
【００３３】
なお、印刷部３７は、エミュレーションモードを含み２種類のページ記述言語Ａ，Ｂが適用可能であり、６００ｄｐｉの印字解像度およびカラーおよびモノクロの印字モードを有し、Ａ４・Ａ３・レター・リーガルの用紙サイズが使用可能である。また、操作部３５は、データを入力するためのタッチパネルと一体化された液晶表示部を有する。
【００３４】
データ送信装置５０は、デジタルカラー複写機であり、図４に示されるように、制御部（ＣＰＵ）５１・読取専用記憶装置（ＲＯＭ）５２・ランダムアクセス記憶装置（ＲＡＭ）５３・データ処理部５４・操作部５５・画像読取部５６・印刷部５７・コンピュータネットワーク９０用のインターフェイス部５８・移動通信ネットワーク７０用のインターフェイス部５９を有し、これらは、バス６０を介して相互に接続されている。インターフェイス部５８は、例えば、ネットワークインターフェースカード（ＮＩＣ）から構成される。
【００３５】
次に、図５のシーケンスチャートを参照し、データ送受信システムの通信手順を説明する。
【００３６】
まず、データ送信装置５０は、移動通信ネットワーク７０を介して、接続要求を、移動端末１０に送信する。移動端末１０は、接続要求を受信すると、移動通信ネットワーク７０を介して、接続返答をデータ送信装置５０に送信する。これによって、データ送信装置５０と移動端末１０との接続が確立する。そして、データ送信装置５０は、機器情報の送信要求を、移動通信ネットワーク７０を介して、移動端末１０に送信する。
【００３７】
移動端末１０は、機器情報の送信要求を受信すると、接続要求を、機器間無線接続によって、近距離に位置するデータ受信装置３０に送信する。データ受信装置３０は、接続要求を受信すると、機器間無線接続によって、接続返答を移動端末１０に送信する。これによって、移動端末１０とデータ受信装置３０との接続が確立する。そして、移動端末１０は、機器情報の送信要求を、データ受信装置３０に送信する。
【００３８】
次に、データ受信装置３０は、機器情報を移動端末１０に送信し、その後、移動端末１０との接続を切断する。一方、移動端末１０は、受信した機器情報を、移動通信ネットワーク７０を介して、データ送信装置５０に送信し、その後、データ送信装置５０との接続を切断する。
【００３９】
データ送信装置５０は、機器情報に基づいて、接続要求を、コンピュータネットワーク９０を介して、データ受信装置３０に送信する。データ受信装置３０は、接続要求を受信すると、コンピュータネットワーク９０を介して、接続返答をデータ送信装置５０に送信する。これによって、データ送信装置５０とデータ受信装置３０との接続が確立する。データ送信装置５０は、データをデータ受信装置３０に送信し、その後、データ受信装置３０との接続を切断する。
【００４０】
次に、図６を参照し、機器情報を説明する。
【００４１】
機器情報は、データ送信装置５０からデータ受信装置３０にデータを送信するために必要とされるコンピュータネットワーク９０に対する接続情報と、データ送信装置５０の出力手段の仕様情報とを含んでいる。
【００４２】
接続情報は、コンピュータネットワーク９０における通信プロトコルおよびデータ受信装置３０の識別コードであり、実施の形態１−１においては、ＬＰＲ（Line Printer Remote）プロトコルおよびＩＰアドレスである。
【００４３】
また、実施の形態１−１においては、データ受信装置３０の出力手段は印刷部３７であるため、仕様情報は、印字解像度・印字モード・制御コマンド・用紙サイズを含んでいる。なお、制御コマンドは、例えば、データ受信装置３０で利用可能なページ記述言語Ａ，Ｂであり、エミュレーションモードを含んでいる。
【００４４】
次に、図７を参照し、データ送信装置５０の動作手順を、詳細に説明する。
【００４５】
まず、操作部５５を使用するユーザの送信指示の入力の有無が、判断される（ステップＳ１０）。送信指示が入力されたと判断される場合、移動通信ネットワーク７０を介して移動端末１０との接続が確立され（ステップＳ１１）、機器情報の送信要求が移動端末１０に送信される（ステップＳ１２）。一方、送信指示が存在しないと判断される場合、送信指示が入力されるまで、ステップＳ１０の判断が繰り返される。
【００４６】
次に、移動端末１０から移動通信ネットワーク７０を介して送信される機器情報の受信の有無が判断される（ステップＳ１３）。機器情報が受信されたと判断される場合、移動端末１０との接続が切断される（ステップＳ１４）。一方、機器情報は未受信であると判断される場合、機器情報が受信されるまで、ステップＳ１３の判断が繰り返される。なお、機器情報は、ＲＡＭ５３に保存される。
【００４７】
そして、データ処理部５４において、ＲＡＭ５３から読み出される機器情報に含まれる仕様情報が使用され、送信用のデータが作成される（ステップＳ１５）。送信用のデータは、例えば、画像読取部５６を使用して得られる原稿の画像データであり、一時的にＲＡＭ５３に保存される。
【００４８】
次に、機器情報に含まれる接続情報つまりＬＰＲプロトコルおよびＩＰアドレスに基づいて、コンピュータネットワーク９０を介して、データ受信装置３０との接続が確立され（ステップＳ１６）、作成されたデータがデータ受信装置３０に送信される（ステップＳ１７）。作成されたデータの送信が完了した場合、データ受信装置３０との接続が切断される（ステップＳ１８）。
【００４９】
次に、図８を参照し、移動端末１０の動作手順を、詳細に説明する。
【００５０】
まず、移動通信ネットワーク７０を介してデータ送信装置５０との接続が確立される（ステップＳ２０）。次に、機器情報の送信要求の受信の有無が判断される（ステップＳ２１）。送信要求は未受信であると判断される場合、送信要求が受信されるまで、ステップＳ２１の判断が繰り返される。
【００５１】
一方、送信要求が受信されたと判断される場合、機器間無線接続によって、近距離に位置するデータ受信装置３０との接続が確立され（ステップＳ２２）、送信要求がデータ受信装置３０に送信される（ステップＳ２３）。
【００５２】
次に、データ受信装置３０から機器間無線接続によって送信される機器情報の受信の有無が判断される（ステップＳ２４）。機器情報は未受信であると判断される場合、機器情報が受信されるまで、ステップＳ２４の判断が繰り返される。
【００５３】
一方、機器情報が受信されたと判断される場合、データ受信装置３０との接続が切断される（ステップＳ２５）。次に、機器情報は、移動通信ネットワーク７０を介してデータ送信装置５０に送信され（ステップＳ２６）、その後、データ送信装置５０との接続が切断される（ステップＳ２７）。
【００５４】
次に、図９を参照し、データ受信装置３０の動作手順を、詳細に説明する。
【００５５】
まず、機器間無線接続によって、近距離に位置する移動端末１０との接続が確立される（ステップＳ３０）。次に、機器情報の送信要求の受信の有無が判断される（ステップＳ３１）。送信要求は未受信であると判断される場合、送信要求が受信されるまで、ステップＳ３１の判断が繰り返される。
【００５６】
一方、送信要求が受信されたと判断される場合、機器間無線接続によって、機器情報が移動端末１０に送信され（ステップＳ３２）、その後、移動端末１０との接続が切断される（ステップＳ３３）。
【００５７】
次に、コンピュータネットワーク９０を介して、データ送信装置５０との接続が確立され（ステップＳ３４）、データ送信装置５０からのデータが受信される（ステップＳ３５）。次に、データ受信が完了したか否かが判断される（ステップＳ３６）。データ受信が未完了であると判断される場合、ステップＳ３５およびステップＳ３６のプロセスが繰り返される。
【００５８】
一方、データ受信が完了したと判断される場合、データ送信装置５０との接続が切断される（ステップＳ３７）。なお、受信されたデータは、ＲＡＭ３３に保存される。次に、データ処理部３４において、ＲＡＭ３３から読み出される受信データが使用され、出力用データが作成される（ステップＳ３８）。次に、印刷部３７において、出力用データに基づいた印刷が実行される（ステップＳ３９）。
【００５９】
以上のように、実施の形態１−１においては、送信されるデータに比べ、機器情報のデータ量は僅かであり、機器情報の送受信に要する移動端末１０の負荷は低い。一方、データ送信装置５０からデータ受信装置３０に対するデータの送信は、コンピュータネットワーク９０を介して実行されるため、移動端末１０の機能による制約を受けない。
【００６０】
つまり、上記システムは、データの送受信に関する汎用的な適用性を有する一方、移動端末の機能による制約を受けることなく、移動端末が有しない機能を、近距離に位置する別の装置を利用して実現している。
【００６１】
なお、実施の形態１−１におけるコンピュータネットワーク９０を介しての通信は、コネクション型通信であるが、プロトコルとして、例えば、ＩＰ（Internet Protocol）を適用し、コネクションレス型通信とすることも可能である。
【００６２】
また、データ受信装置３０のデータ処理部３４によって作成される出力用データを直ちに印刷せずに、一時的にＲＡＭに保存することも可能である。この場合、データ受信装置３０の仕様情報の一項目として、出力データが保存可能であるか否かを含ませる。
［実施の形態１−２］
図１０に示されるデータ送受信システムは、移動端末１０Ａとデータ受信装置３０Ａとの間の近距離で通信するための構成、および移動端末１０Ａとデータ送信装置５０Ａとの間のネットワークの構成に関し、実施の形態１−１と異なっている。
【００６３】
具体的には、移動端末１０Ａおよびデータ受信装置３０Ａは、シリアル接続などの機器間有線接続用のインターフェイス部を有している。さらに、データ送信装置５０Ａは、固定電話ネットワーク８０（加入者線交換機８３）用のインターフェイス部５９を有しており、固定電話ネットワーク８０および移動通信ネットワーク７０を介して、移動端末１０Ａに接続されている。
【００６４】
詳しくは、移動通信ネットワーク７０は、移動端末１０と無線通信する基地局７１・基地局７１と接続されている移動通信交換機７２・相互接続点７５を介して固定電話ネットワーク８０に接続されている移動関門交換機７３を有している。固定電話ネットワーク８０は、相互接続点７５を介して移動通信ネットワーク７０に接続されている関門交換機８１・中継交換機８２・データ送信装置５０に接続されている加入者線交換機８３を有する。
【００６５】
上記データ送受信システムにおいては、移動端末１０Ａとデータ受信装置３０Ａとの間が有線接続であり、移動端末１０Ａとデータ送信装置５０Ａとの間に固定電話ネットワークが介在しているが、その通信手順および各装置１０Ａ，３０Ａ，５０Ａの動作手順は、実施の形態１−１と同様であり、実施の形態１−１と同様の効果を得ることができる。
［実施の形態１−３］
実施の形態１−３は、データ受信装置が複数のプロトコルをサポートしており、データ送信装置において、プロトコルを指定可能である点で、実施の形態１−１と異なっている。つまり、データ送信装置は、プロトコルを択一的に指定するための手段を有している。なお、データ受信装置および移動端末の動作手順は、実施の形態１−１と同様であるため、その説明は省略する。
【００６６】
また、データ受信装置がサポートしているプロトコルは、ＴＣＰ／ＩＰ（Transmission Control Protocol/Internet Protocol）・ＦＴＰ（File Transfer Protocol）・ＩＦＡＸ（Internet FAX）・ＩＰＰ（Internet Printing Protocol）・ＬＰＲ・Ｆａｘ・ＨＴＴＰ（Hyper Text Transfer Protocol）とする。
【００６７】
さらに、ＴＣＰ／ＩＰの識別コードは、ＩＰアドレスで規定される。ＦＴＰの識別コードは、サーバー名・ディレクトリ・パスワードで規定され、データ形式は、ページ記述言語Ａ・ページ記述言語Ｂおよびビットマップデータである。
【００６８】
ＩＦＡＸの識別コードは、電子メールアドレスで規定され、データ形式は、ファクシミリ画像の保管および交換用のファイルフォーマットであるＴＩＦＦ−Ｆ（Tagged Image File Format-F Profile for Facsimile）圧縮である。ＩＰＰの識別コードは、電子メールアドレスで規定され、データ形式は、ＴＩＦＦ−Ｆ圧縮である。ＬＰＲの識別コードは、ＩＰアドレスで規定され、データ形式は、ページ記述言語Ａおよびページ記述言語Ｂである。
【００６９】
ＦＡＸの識別コードは、ファクシミリ（ＦＡＸ）番号で規定され、データ形式は、ファクシミリに準拠である。ＨＴＴＰの識別コードは、ＵＲＬ（Uniform Resource Locator）により定義されるサーバー名・ディレクトリおよびパスワードで規定され、データ形式は、ＪＰＥＧ（Joint Photographic Experts Group）およびＴＩＦＦ（Tagged Image File Format）である。
【００７０】
次に、図１１を参照し、データ送信装置の動作手順を、詳細に説明する。
【００７１】
まず、ステップＳ１０１〜Ｓ１０５を実行することにより、データ受信装置の機器情報（図１２）が、移動端末から受信される。
【００７２】
次に、機器情報の内容に基づいて、データ受信装置が複数のプロトコルをサポートしているか否かが判断される（ステップＳ１０６）。データ受信装置が複数のプロトコルをサポートしていないと判断される場合、プロセスは、ステップＳ１０９に進む。
【００７３】
一方、データ受信装置が複数のプロトコルをサポートしていると判断される場合、データ送信装置の操作部の液晶表示部に、例えば、図１３に示されるプロトコル選択画面が、表示される（ステップＳ１０７）。次に、プロトコルの選択指示の入力の有無が判断される（ステップＳ１０８）。そして、選択指示が入力されたと判断される場合、プロセスは、ステップＳ１０９に進む。
【００７４】
ステップＳ１０９〜Ｓ１１２においては、送信用のデータが作成され、データ受信装置に送信される。
【００７５】
以上のように、実施の形態１−３においては、複数のプロトコルがサポート可能であり、データ送信装置において、プロトコルが指定できる。
［実施の形態１−４］
実施の形態１−４は、移動端末においてプロトコルを指定可能である点で、実施の形態１−３と、異なっている。つまり、データ送信装置ではなくて、移動端末が、プロトコルを択一的に指定するための手段を有している。なお、データ受信装置およびデータ送信装置の動作手順は、実施の形態１−１と同様であるため、その説明は省略する。
【００７６】
次に、図１４を参照し、移動端末の動作手順を、詳細に説明する。
【００７７】
まず、ステップＳ１２１〜Ｓ１２６を実行することにより、データ受信装置から機器情報（図１２参照）が受信される。
【００７８】
次に、機器情報の内容に基づいて、データ受信装置が複数のプロトコルをサポートしているか否かが判断される（ステップＳ１２７）。データ受信装置が複数のプロトコルをサポートしていないと判断される場合、プロセスは、ステップＳ１３１に進む。
【００７９】
一方、データ受信装置が複数のプロトコルをサポートしていると判断される場合、移動端末の操作部の液晶表示部に、例えば、プロトコル選択画面（図１３参照）が表示される（ステップＳ１２８）。次に、プロトコルの選択指示の入力の有無が判断される（ステップＳ１２９）。選択指示が入力されたと判断される場合、機器情報が編集され（ステップＳ１３０）、プロセスは、ステップＳ１３１に進む。図１５は、例えば、プロトコルとしてＨＴＴＰが選択された場合における編集後の機器情報を示している。
【００８０】
そして、ステップＳ１３１およびＳ１３２を実行することにより、機器情報がデータ送信装置５０に送信される。
【００８１】
以上のように、実施の形態１−４においては、移動端末においてプロトコルが指定できる。
［実施の形態１−５］
実施の形態１−５は、データ受信装置が機密保持機能をサポートしており、データ送信装置が、機密保持機能を解除するパスワードを入力するための手段を有している点で、実施の形態１−１と異なっている。なお、移動端末の動作手順は、実施の形態１−１と同様であるため、その説明は省略する。また、パスワード形式は、仕様情報の機密保持項目として含まれ、例えば、８文字から構成されるキャラクタータイプである。
【００８２】
次に、図１６を参照し、データ送信装置の動作手順を、詳細に説明する。
【００８３】
まず、ステップＳ１４１〜Ｓ１４５を実行することにより、データ受信装置の機器情報（図１７）が、移動端末から受信される。
【００８４】
次に、機器情報の内容に基づいて、データ受信装置が機密保持機能をサポートしているか否かが判断される（ステップＳ１４６）。機密保持機能がサポートされないと判断される場合、プロセスは、ステップＳ１４９に進む。
【００８５】
一方、機密保持機能がサポートされていると判断される場合、データ送信装置の操作部の液晶表示部に、例えば、図１８に示されるパスワード入力画面が、表示される（ステップＳ１４７）。次に、パスワードの入力の有無が判断される（ステップＳ１４８）。パスワードが入力されたと判断される場合、プロセスは、ステップＳ１４９に進む。
【００８６】
ステップＳ１４９においては、送信用のデータが作成される。なお、機密保持機能がサポートされている場合、送信用のデータにパスワードの入力値が付加される。そして、ステップＳ１５０〜Ｓ１５２が実行されて、作成されたデータが、データ受信装置に送信される。
【００８７】
次に、図１９を参照し、データ受信装置の動作手順を、詳細に説明する。
【００８８】
まず、ステップＳ１６１〜Ｓ１６８を実行することにより、データ送信装置からのデータの受信が完了する。
【００８９】
次に、パスワードが、データ中から検出される（ステップＳ１６９）。次に、検出されたパスワードが真正であるか否かが、判断される（ステップＳ１７０）。パスワードが真正であると判断される場合、出力用データが作成され（ステップＳ１７１）、出力される（ステップＳ１７２）。一方、パスワードが不正であると判断される場合、プロセスは終了する。
【００９０】
以上のように、実施の形態１−５においては、データ受信装置が機密保持機能をサポートしている場合においても、データ送信装置において対応可能である。
［実施の形態１−６］
実施の形態１−６は、移動端末が機密保持機能を解除するパスワードを入力するための手段を有している点で、実施の形態１−５と異なっている。なお、データ受信装置の動作手順は、実施の形態１−５と同様であり、データ送信装置の動作手順は、実施の形態１−１と同様であるため、その説明は省略する。
【００９１】
次に、図２０を参照し、移動端末の動作手順を、詳細に説明する。
【００９２】
まず、ステップＳ１８１〜Ｓ１８６を実行することにより、データ送信装置から機器情報（図１７参照）が受信される。
【００９３】
次に、機器情報の内容に基づいて、データ受信装置が機密保持機能をサポートしているか否かが判断される（ステップＳ１８７）。機密保持機能がサポートされていないと判断される場合、プロセスは、ステップＳ１９１に進む。
【００９４】
一方、機密保持機能がサポートされていると判断される場合、移動端末の操作部の液晶表示部に、例えば、図２１に示されるパスワード入力画面が、表示される（ステップＳ１８８）。次に、パスワードの入力の有無が判断される（ステップＳ１８９）。操作部のキーボード部を使用して、パスワードが入力されたと判断される場合、機器情報が編集され、パスワードの入力値が付加され（ステップＳ１９０）、プロセスは、ステップＳ１９１に進む。
【００９５】
そして、ステップＳ１９１およびＳ１９２を実行することにより、機器情報が、データ送信装置に送信される。
【００９６】
以上のように、実施の形態１−６においては、データ受信装置が機密保持機能をサポートしている場合において、移動端末において対応可能である。
［実施の形態１−７］
実施の形態１−７は、データの送信を取り消すための手段を有している点で、実施の形態１−１〜１−６と異なっている。具体的には、移動端末は、データの送信を取り消す場合、第２機器情報をデータ送信装置に送信する一方、データ送信装置は、第２機器情報に基づいて、データの送信を中止する。第２機器情報は、送信を取り消すためデータである送信不許可指示を含んでいる。なお、データ受信装置の機器情報は、第１機器情報で参照する。また、データ受信装置の動作手順は、実施の形態１−１と同様であるため、その説明は省略する。
【００９７】
次に、図２２を参照し、データ送信装置の動作手順を、詳細に説明する。
【００９８】
まず、ステップＳ２０１〜Ｓ２０５を実行することにより、機器情報が、移動端末から受信される。次に、機器情報に、送信不許可指示が含まれているか否かが判断される（ステップＳ２０６）。
【００９９】
送信不許可指示が存在すると判断される場合つまり第２機器情報が受信されたと判断される場合、送信指示が取り消され、プロセスは終了する。一方、送信不許可指示が存在しないと判断される場合つまり第１機器情報が受信されたと判断される場合、ステップＳ２０７〜Ｓ２１０を実行することにより、送信用のデータが作成され、データ受信装置に送信される。
【０１００】
次に、図２３を参照し、移動端末の動作手順を、詳細に説明する。
【０１０１】
まず、データ送信装置との接続が確立される（ステップＳ２２１）。次に、第１機器情報の送信要求の受信の有無が判断される（ステップＳ２２２）。送信要求が受信されたと判断される場合、移動端末の操作部の液晶表示部に、例えば、図２４に示される送信選択画面が表示され、送信許可の有無の入力が促される（ステップＳ２２３）。次に、送信不許可指示の有無が判断される（ステップＳ２２４）。
【０１０２】
送信不許可指示が、入力される場合、データ受信装置と接続することなく、送信不許可指示を含んでいる第２機器情報が作成されて送信され（ステップＳ２２５）、データ送信装置との接続が切断される（ステップＳ２３１）。
【０１０３】
一方、送信許可指示が入力される場合、ステップＳ２２６〜Ｓ２３１が実行されることで、データ受信装置から第１機器情報が取得されて、データ送信装置に送信され、接続が切断される。
【０１０４】
以上のように、第２機器情報のデータ量は僅かであり、機器情報の送受信に要する移動端末の負荷は低い。したがって、移動端末の機能による制約を受けることなく、データの送信を取り消すことが可能である。
［実施の形態１−８］
実施の形態１−８は、第３機器情報を使用する、データ送信を待機させるための手段を有している点で、実施の形態１−１〜１−７と異なっている。第３機器情報は、移動通信ネットワークを介して移動端末がデータ送信装置と接続を確立するために必要とされるデータ送信装置の機器情報であり、例えば、電話番号からなる接続情報と、送信の対象となるファイルの識別番号からなる保存情報とを含んでいる。なお、データ受信装置の動作手順は、実施の形態１−１と同様であるため、その説明は省略する。
【０１０５】
次に、図２５のシーケンスチャートを参照し、データ送受信システムの通信手順を説明する。
【０１０６】
まず、データ送信装置は、接続要求を移動端末に送信する。移動端末は、接続要求を受信すると、接続返答をデータ送信装置に送信する。これによって、データ送信装置と移動端末との接続が確立する。そして、データ送信装置は、第１機器情報の送信要求を、移動端末に送信する。
【０１０７】
移動端末は、第１機器情報の送信要求を受信すると、待機要求をデータ送信装置に送信する。次に、データ送信装置は、第３機器情報を移動端末に送信し、接続を切断する。
【０１０８】
移動端末は、データの送信を開始する際に、第３機器情報に基づいて、接続要求をデータ送信装置に送信する。データ送信装置は、接続要求を受信すると、接続返答を移動端末に送信する。これによって、移動端末とデータ送信装置との接続が確立する。そして、移動端末は、データ送信の開始要求をデータ送信装置に送信する。次に、データ送信装置は、第１機器情報の送信要求を移動端末に送信する。
【０１０９】
移動端末は、第１機器情報の送信要求を受信すると、実施の形態１−１と同様に処理を実行し、最終的に、データ送信装置は、データを、データ受信装置に送信する。
【０１１０】
次に、図２６を参照し、データ送信装置の動作手順を、詳細に説明する。
【０１１１】
まず、送信指示の入力の有無が、判断される（ステップＳ２４１）。送信指示が入力されたと判断される場合、移動端末との接続が確立され（ステップＳ２４２）、第１機器情報の送信要求が移動端末に送信される（ステップＳ２４３）。
【０１１２】
次に、移動端末からの第１機器情報の受信の有無が判断される（ステップＳ２４４）。第１機器情報が受信されたと判断される場合、ステップＳ２４４〜２４９が実行されて、データがデータ受信装置に送信される。
【０１１３】
一方、第１機器情報は未受信であると判断される場合、さらに、待機要求の受信の有無が判断される（ステップＳ２５０）。待機要求は未受信であると判断される場合、プロセスは、ステップＳ２４４に復帰する。待機要求が受信されたと判断される場合、第３機器情報が、移動端末に送信され（ステップＳ２５１）、移動端末との接続が切断される（ステップＳ２５２）。
【０１１４】
その後、第３機器情報に基づいて、移動端末との接続が、確立される（ステップＳ２５３）。次に、開始要求の受信の有無が、判断される（ステップＳ２５４）。開始要求が受信されたと判断される場合、プロセスは、ステップＳ２４３に復帰し、ステップＳ２４３〜２４９が実行されて、データがデータ送信装置からデータ受信装置に送信される。
【０１１５】
次に、図２７を参照し、移動端末の動作手順を、詳細に説明する。
【０１１６】
まず、データ送信装置との接続が確立され（ステップＳ２６１）、第１機器情報の送信要求の受信の有無が判断される（ステップＳ２６２）。送信要求が受信されたと判断される場合、移動端末の操作部の液晶表示部に、例えば、図２８に示される送信待機選択画面が表示された後、待機指示の有無が判断される（ステップＳ２６３）。待機指示が要求されないと判断される場合、ステップＳ２６４〜Ｓ２６９が実行され、第１機器情報が、データ送信装置に送信される。
【０１１７】
一方、待機指示が入力されたと判断される場合、待機要求がデータ送信装置に送信される（ステップＳ２７０）。次に、第３機器情報の受信の有無が判断される（ステップＳ２７１）。第３機器情報が受信されたと判断される場合、データ送信装置との接続が切断され（ステップＳ２７２）、受信された第３機器情報は、ＲＡＭに保存される（ステップＳ２７３）。
【０１１８】
その後、移動端末の操作部の液晶表示部に、例えば、図２９に示される送信開始選択画面が表示され、開始指示の有無が判断される（ステップＳ２７４）。なお、データ送信装置として、実際の使用においては、複写機・イメージスキャナあるいはファクシミリ等が表示されることになる。
【０１１９】
開始指示が入力されたと判断される場合、ＲＡＭに保存されている第３機器情報を使用して、データ送信装置との接続が確立され（ステップＳ２７５）、開始要求が、データ送信装置に送信される（ステップＳ２７６）。次に、プロセスは、ステップＳ２６２に復帰し、ステップＳ２６２〜Ｓ２６９が実行され、第１機器情報が、データ送信装置に送信される。
【０１２０】
以上のように、第３機器情報のデータ量は僅かであり、機器情報の送受信に要する移動端末の負荷は低い。したがって、移動端末の機能による制約を受けることなく、データ送信を待機させることが可能である。
［実施の形態１−９］
実施の形態１−９に係るデータ送受信システムは、図３０に示されるように、複数のデータ受信装置３０Ｂ，３０Ｃ，３０Ｄを含んでおり、かつ、データ送信装置５０が、データ受信装置３０Ｂ，３０Ｃ，３０Ｄのいずれか一つを送信先として、自動的に選択する手段を有している点で、実施の形態１−１と異なっている。なお、データ受信装置の動作手順は、実施の形態１−１と同様であるため、その説明は省略する。
【０１２１】
次に、図３１のシーケンスチャートを参照し、データ送受信システムの通信手順を説明する。
【０１２２】
まず、データ送信装置５０は、接続要求を移動端末１０に送信する。移動端末１０は、接続要求を受信すると、接続返答をデータ送信装置５０に送信する。これによって、データ送信装置５０と移動端末１０との接続が確立する。そして、データ送信装置５０は、機器情報の送信要求を、移動端末１０に送信する。
【０１２３】
移動端末１０は、機器情報の送信要求を受信すると、接続要求を、近距離に位置するデータ受信装置３０Ｂ，３０Ｃ，３０Ｄに送信する。データ受信装置３０Ｂ，３０Ｃ，３０Ｄは、接続要求を受信すると、接続返答を送信する。
【０１２４】
次に、移動端末１０は、データ受信装置３０Ｂ，３０Ｃ，３０Ｄに対し、機器情報の送信要求を送信し、例えば、図３２に示される３種類の機器情報を取得する。一方、データ受信装置３０Ｂ，３０Ｃ，３０Ｄは、機器情報を送信した後、移動端末１０との接続を切断する。
【０１２５】
そして、移動端末１０は、受信した複数の機器情報を編集し、図３３に示されるような機器情報を作成し、データ送信装置５０に送信後、データ送信装置５０との接続を切断する。
【０１２６】
データ送信装置５０は、機器情報に含まれるデータを比較し、データ受信装置３０Ｂ，３０Ｃ，３０Ｄのいずれか一つを送信先として自動的に選択し、選択された送信先に、接続要求を送信する。送信先は、接続要求を受信すると、接続返答をデータ送信装置５０に送信する。これによって、データ送信装置５０と送信先との接続が確立する。データ送信装置５０は、送信先にデータを送信し、その後、送信先との接続を切断する。
【０１２７】
次に、図３４を参照し、データ送信装置５０の動作手順を、詳細に説明する。
【０１２８】
まず、ステップＳ３０１〜Ｓ３０５を実行することによって、移動端末１０から、機器情報（図３３参照）が受信される。
【０１２９】
次に、機器情報に含まれるデータ受信装置３０Ｂ，３０Ｃ，３０Ｄの各データが、比較され、適当な送信先が選択される（ステップＳ３０６）。そして、送信先の仕様情報が使用され、送信用のデータが作成され（ステップＳ３０７）、送信先の接続情報に基づいて、送信先との接続が確立される（ステップＳ３０８）。次に、作成されたデータが送信され、その後、送信先との接続が切断される（ステップＳ３０９）。
【０１３０】
次に、図３５を参照し、移動端末１０の動作手順を、詳細に説明する。
【０１３１】
まず、データ送信装置５０との接続が確立され、送信要求が受信される（ステップＳ３１１）。次に、データ受信装置３０Ｂ，３０Ｃ，３０Ｄに対し、接続要求が送信され（ステップＳ３１２）、接続返答の受信の有無が判断される（ステップＳ３１３）。接続返答が存在しないと判断される場合、プロセスは、ステップＳ３１７に進む。
【０１３２】
一方、接続返答が受信されたと判断される場合、送信要求が、送信される（ステップＳ３１４）。次に、機器情報の受信の有無が判断される（ステップＳ３１５）。機器情報の受信されたと判断される場合、データ受信装置との接続が切断され（ステップＳ３１６）、プロセスは、ステップＳ３１７に進む。
【０１３３】
ステップＳ３１７においては、次のデータ受信装置の有無つまり機器情報が未受信であるデータ受信装置の有無が判断される。
【０１３４】
上記ステップＳ３１３〜Ｓ３１７を繰り返すことによって、データ受信装置３０Ｂ，３０Ｃ，３０Ｄの機器情報（図３２）が得られる。次に、データ受信装置３０Ｂ，３０Ｃ，３０Ｄの機器情報は、編集され、単一の機器情報が合成される（ステップＳ３１８）。合成された機器情報（図３３参照）は、データ送信装置５０に送信され、その後、データ送信装置５０との接続が切断される（ステップＳ３２２）。
【０１３５】
以上のように、移動端末の機能による制約を受けることなく、データ送信装置５０において複数のデータ受信装置３０Ｂ，３０Ｃ，３０Ｄのいずれか一つを送信先として、自動的に選択できる。
【０１３６】
なお、実施の形態１−９においては、データ送信装置５０において選択された送信先は、移動端末１０に通知されていない。しかし、例えば、データ受信装置５０から移動端末１０に対し、移動通信ネットワークを介して送信先を通知したり、あるいは送信先から移動端末１０に対し、通知させることも可能である。
［実施の形態１−１０］
実施の形態１−１０においては、データ送信装置が送信先をマニュアルで選択する手段を有している点で、実施の形態１−９と異なっている。なお、移動端末およびデータ受信装置の動作手順は、実施の形態１−９と同様であるため、その説明は省略する。
【０１３７】
では、図３６を参照し、データ送信装置の動作手順を、詳細に説明する。
【０１３８】
まず、ステップＳ３５１〜Ｓ３５５を実行することによって、移動端末からの機器情報（図３３参照）が受信される。
【０１３９】
次に、機器情報に含まれるデータ受信装置の各データに基づいて、例えば、図３７に示されるデータ受信装置選択画面が生成されて、表示される（ステップＳ３５６）。なお、データ送信装置にとって不適当な機器情報を有するデータ受信装置が存在する場合、当該データ受信装置は、データ受信装置選択画面に表示されない。
【０１４０】
そして、ユーザによる選択入力（送信先の指定）の有無が判断される（ステップＳ３５７）。選択が完了したと判断される場合、選択された送信先の仕様情報が使用され、送信用のデータが作成される（ステップＳ３５８）。
【０１４１】
次に、選択された送信先の接続情報に基づいて、送信先との接続が確立され（ステップＳ３５９）、作成されたデータが送信されて、送信先との接続が切断される（ステップＳ３６０）。
【０１４２】
以上のように、データ受信装置において、複数のデータ受信装置のいずれか一つを送信先として、マニュアルで選択できる。
［実施の形態１−１１］
実施の形態１−１１においては、移動端末が送信先をマニュアルで選択する手段を有している点で、実施の形態１−９と異なっている。なお、データ送信装置の動作手順は、実施の形態１−１と同様であり、データ受信装置の動作手順は、実施の形態１−９と同様であるため、その説明は省略する。
【０１４３】
では、図３８を参照し、移動端末の動作手順を、詳細に説明する。
【０１４４】
まず、ステップＳ３６１〜Ｓ３６７を実行することで、データ受信装置から機器情報（図３２（Ａ）〜（Ｃ）参照）が受信される。次に、機器情報に基づいて、データ受信装置選択画面（図３７参照）が生成されて、表示される（ステップＳ３６８）。
【０１４５】
そして、ユーザによる選択入力の有無が判断される（ステップＳ３６９）。例えば、データ受信装置３０Ｂが選択されたと判断される場合、図３２（Ａ）に示される機器情報がデータ送信装置に送信され、その後、データ送信装置との接続が切断される（ステップＳ３７０）。
【０１４６】
以上のように、移動端末において、複数のデータ受信装置のいずれか一つを送信先として、マニュアルで選択できる。
［実施の形態２−１］
実施の形態２−１は、概して、移動端末を利用して、データ送信装置から第４機器情報がデータ受信装置に送信され、そして、データ受信装置が、第４機器情報に基づいて、データ送信装置との接続を確立する点で、実施の形態１−１と異なっている。第４機器情報は、コンピュータネットワークを介してデータ送信装置との接続を確立するために必要とされるデータ送信装置の機器情報であり、例えば、ＩＰアドレス等の識別コード・通信プロトコル・送信の対象となるファイルの識別番号からなる保存情報を含んでいる。
【０１４７】
次に、図３９のシーケンスチャートを参照し、データ送受信システムの通信手順を説明する。
【０１４８】
まず、データ送信装置は、接続要求を移動端末に送信する。移動端末は、接続要求を受信すると、接続返答をデータ送信装置に送信する。これによって、データ送信装置と移動端末との接続が確立する。そして、データ送信装置は、第４機器情報を、移動端末に送信し、その後、移動端末との接続を切断する。
【０１４９】
移動端末は、データ送信装置の第４機器情報を受信すると、接続要求を、近距離に位置するデータ受信装置に送信する。データ受信装置は、接続要求を受信すると、接続返答を移動端末に送信する。これによって、移動端末とデータ受信装置との接続が確立する。そして、移動端末は、データ送信装置の第４機器情報を、データ受信装置に送信し、その後、データ受信装置との接続を切断する。
【０１５０】
次に、データ受信装置は、第４機器情報に基づいて、接続要求をデータ送信装置に送信する。データ送信装置は、接続要求を受信すると、接続返答をデータ受信装置に送信する。これによって、データ受信装置とデータ送信装置との接続が確立する。そして、データ受信装置は、データの送信要求および第１機器情報（自己の機器情報）を、データ送信装置に送信する。
【０１５１】
データ送信装置は、データの送信要求および第１機器情報を受信すると、第１機器情報に基づいて、要求されたデータを、データ受信装置に送信し、その後、データ受信装置との接続を切断する。
【０１５２】
次に、図４０を参照し、データ送信装置の動作手順を、詳細に説明する。
【０１５３】
まず、操作部を使用するユーザの送信指示の入力の有無が、判断される（ステップＳ４０１）。送信指示が入力されたと判断される場合、移動端末との接続が確立される（ステップＳ４０２）。そして、データ送信装置の第４機器情報が、移動端末に送信され（ステップＳ４０３）、移動端末との接続が切断される（ステップＳ４０４）。
【０１５４】
その後、第４機器情報に基づいて、データ受信装置との接続が、確立される（ステップＳ４０５）。そして、データ送信要求および第１機器情報の受信の有無が、判断される（ステップＳ４０６）。そして、受信が完了したと判断される場合、第１機器情報に含まれる仕様情報が使用され、送信用のデータが作成され（ステップＳ４０７）、第１機器情報に含まれる接続情報に基づいて、データ受信装置に送信され（ステップＳ４０８）、データ受信装置との接続が切断される（ステップＳ４０９）。
【０１５５】
次に、図４１を参照し、移動端末の動作手順を、詳細に説明する。
【０１５６】
まず、データ送信装置との接続が確立され（ステップＳ４１１）、第４機器情報の受信の有無が、判断される（ステップＳ４１２）。第４機器情報が受信されたと判断される場合、データ送信装置との接続が切断される（ステップＳ４１３）。
【０１５７】
次に、データ受信装置との接続が確立され（ステップＳ４１４）、第４機器情報が、データ受信装置に送信され（ステップＳ４１５）、データ送信装置との接続が切断される（ステップＳ４１６）。
【０１５８】
次に、図４２を参照し、データ受信装置の動作手順を、詳細に説明する。
【０１５９】
まず、移動端末との接続が確立され（ステップＳ４２１）、第４機器情報の受信の有無が、判断される（ステップＳ４２２）。第４機器情報が受信されたと判断される場合、移動端末との接続が切断される（ステップＳ４２３）。
【０１６０】
次に、第４機器情報を使用して、データ送信装置との接続が確立され（ステップＳ４２４）、データ送信要求および第１機器情報（自己の機器情報）が、送信される（ステップＳ４２５）。その後、データ送信装置からのデータが受信される（ステップＳ４２６）。次に、データ受信が完了したか否かが判断される（ステップＳ４２７）。データ受信が完了したと判断される場合、データ送信装置との接続が切断される（ステップＳ４２８）。
【０１６１】
次に、受信データが使用されて、出力用データが作成され、得られたデータが、出力される（ステップＳ４２９）。
【０１６２】
以上のように、実施の形態２−１に係るデータ送受信システムにおいても、送信されるデータに比べ、機器情報のデータ量は僅かであり、機器情報の送受信に要する移動端末の負荷は低い。一方、データ送信装置からデータ受信装置に対するデータの送信は、コンピュータネットワークを介して実行されるため、移動端末の機能による制約を受けない。
［実施の形態２−２］
実施の形態２−２は、第３機器情報を使用する、データ送信を待機させるための手段を有している点（実施の形態１−８参照）で、実施の形態２−１と異なっている。具体的には、移動端末は、データの送信を待機させる場合、第３機器情報を取得した後で、データ送信装置との接続を切断し、データの送信を開始する際に、第３機器情報に基づいて、データ送信装置との接続を確立する。なお、データ受信装置の動作手順は、実施の形態２−１と同様であるため、その説明は省略する。
【０１６３】
次に、図４３を参照し、データ送信装置の動作手順を、詳細に説明する。
【０１６４】
まず、ステップＳ４４１〜ステップＳ４４３が実行されて、送信要求が、移動端末に送信される。
【０１６５】
次に、待機要求の受信の有無が判断される（ステップＳ４４４）。待機要求は未受信であると判断される場合、ステップＳ４４５〜Ｓ４５０が実行され、データがデータ送信装置からデータ受信装置に送信される。待機要求が受信されたと判断される場合、第３機器情報が、移動端末に送信され（ステップＳ４５１）、移動端末との接続が切断される（ステップＳ４５２）。
【０１６６】
その後、第３機器情報が使用され、移動端末との接続が、確立される（ステップＳ４５３）。次に、開始要求の有無が、判断される（ステップＳ４５４）。開始要求が受信されたと判断される場合、プロセスは、ステップＳ４４５に復帰し、ステップＳ４４５〜３５０が実行されて、データがデータ送信装置からデータ受信装置に送信される。
【０１６７】
次に、図４４を参照し、移動端末の動作手順を、詳細に説明する。
【０１６８】
まず、データ送信装置との接続が確立され（ステップＳ４６１）、送信要求の受信の有無が、判断される（ステップＳ４６２）。送信要求が受信されたと判断される場合、移動端末の操作部の液晶表示部に、送信待機選択画面（図２８参照）が表示された後、待機指示の有無が判断される（ステップＳ４６３）。待機指示が要求されないと判断される場合、ステップＳ４６４〜Ｓ４６８が実行され、第４機器情報が、データ受信装置に送信される。
【０１６９】
待機指示が入力されたと判断される場合、待機要求がデータ送信装置に送信される（ステップＳ４６９）。次に、第３機器情報の受信の有無が、判断される（ステップＳ４７０）。受信が完了したと判断される場合、データ送信装置との接続が切断される（ステップＳ４７１）。また、受信された第３機器情報は、ＲＡＭに保存される（ステップＳ４７２）。
【０１７０】
その後、移動端末の操作部の液晶表示部に、送信開始選択画面（図２９参照）が表示され、開始指示の有無が判断される（ステップＳ４７３）。開始指示が入力されたと判断される場合、ＲＡＭに保存されている第３機器情報を使用して、データ送信装置との接続が確立される（ステップＳ４７４）。次に、開始要求が、データ送信装置に送信され（ステップＳ４７５）。次に、プロセスはステップＳ４６４に復帰し、ステップＳ４６４〜Ｓ４６８が実行されることによって、第４機器情報が、データ受信装置に送信される。
【０１７１】
以上のように、データ量が僅かである第３機器情報を使用することによって、移動端末の機能による制約を受けることなく、データ送信を待機させることが可能である。
［実施の形態３−１］
実施の形態３−１に係るデータ送受信システムは、図４５に示されるように、データ受信装置３０の機器情報が、複数の移動端末１０，１０Ｂを使用して、データ送信装置５０Ｂに送信される点で、実施の形態１−１と異なっている。
【０１７２】
なお、移動端末（第２移動端末）１０Ｂは、移動端末（第１移動端末）１０と同様な構成であり、移動通信ネットワーク７０を介して通信するための通信手段と、近距離で通信するためのローカル通信手段とを有する。さらに、データ送信装置５０Ｂは、第２移動端末１０Ｂと近距離で通信するためのローカル通信手段を有している点で、実施の形態１−１に係るデータ送信装置５０と異なっている。また、データ受信装置の動作手順は、実施の形態１−１と同様であるため、その説明は省略する。
【０１７３】
次に、図４６のシーケンスチャートを参照し、データ送受信システムの通信手順を説明する。
【０１７４】
まず、第２移動端末１０Ｂは、送信指示が入力されると、移動通信ネットワーク７０を介して、接続要求を、第１移動端末１０に送信する。第１移動端末１０は、接続要求を受信すると、接続返答を第２移動端末１０Ｂに送信する。これによって、第２移動端末１０Ｂと第１移動端末１０との接続が確立する。そして、第２移動端末１０Ｂは、機器情報の送信要求を、第１移動端末１０に送信する。
【０１７５】
第１移動端末１０は、機器情報の送信要求を受信すると、接続要求を、近距離に位置するデータ受信装置３０に送信する。データ受信装置３０は、接続要求を受信すると、接続返答を第１移動端末１０に送信する。これによって、第１移動端末１０とデータ受信装置３０との接続が確立する。そして、第１移動端末１０は、機器情報の送信要求を、データ受信装置３０に送信する。
【０１７６】
次に、データ受信装置３０は、機器情報を第１移動端末１０に送信し、その後、第１移動端末１０との接続を切断する。一方、第１移動端末１０は、受信した機器情報を、移動通信ネットワーク７０を介して、第２移動端末１０Ｂに送信し、その後、第２移動端末１０Ｂとの接続を切断する。
【０１７７】
第２移動端末１０Ｂは、機器情報を受信すると、接続要求を、近距離に位置するデータ送信装置５０Ｂに送信する。データ送信装置５０Ｂは、接続要求を受信すると、接続返答を第２移動端末１０Ｂに送信する。これによって、第２移動端末１０Ｂとデータ送信装置５０Ｂとの接続が確立する。そして、第２移動端末１０Ｂは、機器情報をデータ送信装置５０Ｂに送信する。
【０１７８】
データ送信装置５０Ｂは、機器情報に基づいて、接続要求を、コンピュータネットワーク９０を介して、データ受信装置３０に送信する。データ受信装置３０は、接続要求を受信すると、コンピュータネットワーク９０を介して、接続返答をデータ送信装置５０Ｂに送信する。これによって、データ送信装置５０Ｂとデータ受信装置３０との接続が確立する。データ送信装置５０Ｂは、データを、データ受信装置３０に送信し、その後、データ受信装置３０との接続を切断する。
【０１７９】
次に、図４７を参照し、第２移動端末１０Ｂの動作手順を、詳細に説明する。
【０１８０】
まず、ユーザの送信指示の入力の有無が、判断される（ステップＳ５０１）。送信指示が入力されたと判断される場合、移動通信ネットワーク７０を介して第１移動端末１０との接続が確立され（ステップＳ５０２）、機器情報の送信要求が第１移動端末１０に送信される（ステップＳ５０３）。
【０１８１】
次に、第１移動端末１０から移動通信ネットワーク７０を介して送信される機器情報の受信の有無が判断される（ステップＳ５０４）。機器情報が受信されたと判断される場合、第１移動端末１０との接続が切断される（ステップＳ５０５）。
【０１８２】
そして、近距離に位置するデータ送信装置５０Ｂとの接続が確立される（ステップＳ５０６）。次に、機器情報が、データ送信装置５０Ｂに送信され（ステップＳ５０７）、その後、データ送信装置５０Ｂとの接続が切断される（ステップＳ５０８）。
【０１８３】
次に、図４８を参照し、データ送信装置５０Ｂの動作手順を、詳細に説明する。
【０１８４】
まず、第２移動端末１０Ｂからの接続要求の有無が、判断される（ステップＳ５１１）。接続要求が受信されたと判断される場合、接続返答を第２移動端末１０Ｂに送信する（ステップＳ５１２）。これによって、データ送信装置５０Ｂと第２移動端末１０Ｂとの接続が確立する。
【０１８５】
次に、機器情報の受信の有無が判断される（ステップＳ５１３）。機器情報が受信されたと判断される場合、第２移動端末１０Ｂとの接続が切断される（ステップＳ５１４）。
【０１８６】
そして、ステップＳ５１５〜ステップＳ５１８を実行することで、作成されたデータが、データ受信装置３０に送信される。
【０１８７】
次に、図４９を参照し、第１移動端末１０の動作手順を、詳細に説明する。
【０１８８】
まず、移動通信ネットワーク７０を介して第２移動端末１０Ｂとの接続が確立される（ステップＳ５２１）。次に、機器情報の送信要求の受信の有無が判断される（ステップＳ５２２）。
【０１８９】
送信要求が受信されたと判断される場合、近距離に位置するデータ受信装置３０との接続が確立され（ステップＳ５２３）、機器情報の送信要求がデータ受信装置３０に送信される（ステップＳ５２４）。
【０１９０】
そして、データ受信装置３０から送信される機器情報の受信の有無が判断される（ステップＳ５２５）。機器情報が受信されたと判断される場合、データ受信装置３０との接続が切断される（ステップＳ５２６）。
【０１９１】
次に、機器情報は、移動通信ネットワーク７０を介して第２移動端末１０Ｂに送信され（ステップＳ５２７）、その後、第２移動端末１０Ｂとの接続が切断される（ステップＳ５２８）。
【０１９２】
以上のように、実施の形態３−１においては、複数の移動端末が適用されるため、より柔軟なシステムを構成することができる。
［実施の形態３−２］
実施の形態３−２に係るデータ送受信システムは、図５０に示されるように、複数のデータ送信装置５０Ｂ，５０Ｃ，５０Ｄを含んでおり、かつ、第２移動端末１０Ｂが、第５機器情報および第６機器情報を利用して、データ送信装置５０Ｂ，５０Ｃ，５０Ｄのいずれか一つを送信元として選択する手段を有している点で、実施の形態３−１と異なっている。なお、データ送信装置５０Ｃ，５０Ｄは、データ送信装置５０Ｂと同様に、第２移動端末１０Ｂと近距離で通信するためのローカル通信手段を有している。
【０１９３】
また、第５機器情報は、データ送信装置５０Ｂ，５０Ｃ，５０Ｄにおいて利用可能な接続情報とデータ送信装置５０の出力手段の仕様情報とを含んでおり、第１機器情報に対応している。第６機器情報は、第２移動端末がデータ送信装置５０Ｂ，５０Ｃ，５０Ｄの各々と接続を確立するために必要とされる識別データである。なお、第１移動端末１０およびデータ受信装置３０の動作手順は、実施の形態３−１と同様であるため、その説明は省略する。
【０１９４】
次に、図５１のシーケンスチャートを参照し、データ送受信システムの通信手順を説明する。
【０１９５】
まず、実施の形態３−１と同様にして、第２移動端末１０Ｂは、第１移動端末１０を介して、データ受信装置３０の第１機器情報を受信する。
【０１９６】
次に、第２移動端末１０Ｂは、接続要求をデータ送信装置５０Ｂ，５０Ｃ，５０Ｄに送信する。データ送信装置５０Ｂ，５０Ｃ，５０Ｄの各々は、接続返答・第５機器情報および第６機器情報を、第２移動端末１０Ｂに送信した後、第２移動端末１０Ｂとの接続を切断する。
【０１９７】
第２移動端末１０Ｂは、第１機器情報と第５機器情報とを比較し、データ送信装置５０Ｂ，５０Ｃ，５０Ｄのいずれか一つを送信元として選択する。その後、第２移動端末１０Ｂは、送信元の第６機器情報に基づいて、送信元との接続を確立し、第１機器情報を送信元に送信する。
【０１９８】
送信元は、実施の形態３−１と同様にして、第１機器情報に基づいて、データを、データ受信装置３０に送信する。
【０１９９】
次に、図５２を参照し、第２移動端末１０Ｂの動作手順を、詳細に説明する。
【０２００】
まず、ステップＳ６０１〜Ｓ６０４を実行することによって、第１機器情報が第１移動端末１０から受信される。
【０２０１】
次に、データ送信装置５０Ｂ，５０Ｃ，５０Ｄに対し、接続要求が送信され（ステップＳ６０５）、接続返答の受信の有無が判断される（ステップＳ６０６）。接続返答が受信されたと判断される場合、第５機器情報および第６機器情報の送信要求が、送信される（ステップＳ６０７）。次に、第５機器情報および第６機器情報の受信の有無が判断される（ステップＳ６０８）。第５機器情報および第６機器情報が受信されたと判断される場合、当該第５機器情報および第６機器情報はＲＡＭに保存され（ステップＳ６０９）、接続が切断される（ステップＳ６１０）。
【０２０２】
上記ステップＳ６０６〜Ｓ６１０を繰り返し、データ送信装置５０Ｂ，５０Ｃ，５０Ｄの第５機器情報および第６機器情報の保存が完了すると、第１機器情報と第５機器情報とが比較され、データ送信装置５０Ｂ，５０Ｃ，５０Ｄのいずれか一つが送信元として自動的に選択される（ステップＳ６１１）。次に、第２移動端末の液晶表示部に、データ送信装置指示画面が表示される（ステップＳ６１２）。
【０２０３】
例えば、データ送信装置５０Ｂ，５０Ｃ，５０Ｄが、図５３（Ａ）〜（Ｃ）に示される第５機器情報を有する一方、データ受信装置３０が図５３（Ｄ）に示される第１機器情報を有する場合、データ送信装置５０Ｂは、データ受信装置３０の第１機器情報と対応する第５機器情報を有しているため、データ送信装置５０Ｂが、自動的に選択され、例えば、図５４に示されるデータ送信装置指示画面が表示される。
【０２０４】
次に、送信元の第６機器情報に基づいて、選択された送信元との接続が確立され（ステップＳ６１３）、第１機器情報が送信され（ステップＳ６１４）、その後、接続が切断される（ステップＳ６１５）。
【０２０５】
次に、図５５を参照し、データ送信装置５０Ｂ，５０Ｃ，５０Ｄの動作手順を、詳細に説明する。
【０２０６】
まず、第２移動端末１０Ｂからの接続要求の有無が、判断される（ステップＳ６２１）。接続要求が受信されたと判断される場合、接続返答が第２移動端末１０Ｂに送信される（ステップＳ６２２）。これによって、データ送信装置５０Ｂと第２移動端末１０Ｂとの接続が確立する。
【０２０７】
次に、送信要求の受信の有無が判断される（ステップＳ６２３）。送信要求が受信されたと判断される場合、第５機器情報および第６機器情報が第２移動端末１０Ｂに送信され（ステップＳ６２４）、第２移動端末１０Ｂとの接続が切断される（ステップＳ６２５）。
【０２０８】
その後、第２移動端末１０Ｂから第６機器情報に基づいて送信される接続要求の有無が、判断される（ステップＳ６２６）。そして、ステップＳ６２７〜Ｓ６２９を実行することによって、第２移動端末１０Ｂから第１機器情報が得られ、ステップＳ６３０〜Ｓ６３３を実行することによって、作成されたデータが、データ受信装置３０に送信される。
【０２０９】
以上のように、第５機器情報および第６機器情報のデータ量は僅かであり、機器情報の送受信に要する移動端末の負荷は低い。したがって、移動端末の機能による制約を受けることなく、第２移動端末において、複数のデータ送信装置のいずれか一つを送信元として、自動的に選択できる。
［実施の形態３−３］
実施の形態３−３は、第２移動端末が、送信元をマニュアルで選択する手段を有している点で、実施の形態３−２と異なっている。なお、第１移動端末・データ送信装置およびデータ受信装置の動作手順は、実施の形態３−２と同様であるため、その説明は省略する。
【０２１０】
次に、図５６を参照し、第２移動端末１０Ｂの動作手順を、説明する。
【０２１１】
まず、ステップＳ６４１〜Ｓ６５０を実行することによって、第１機器情報・第５機器情報および第６機器情報が、受信される。
【０２１２】
次に、第２移動端末の液晶表示部に、第５機器情報に基づいて、例えば、図５７に示されるようなデータ送信装置選択画面が、生成されて表示される（ステップＳ６５１）。なお、第１機器情報と第５機器情報とを比較した結果、不適当なデータ送信装置が存在する場合、当該データ送信装置は、データ送信装置選択画面に表示されない。
【０２１３】
そして、ユーザによる選択入力の有無が判断される（ステップＳ６５２）。選択が完了したと判断される場合、選択された送信元の第６機器情報に基づいて、送信元との接続が確立され（ステップＳ６５３）、第１機器情報が送信され（ステップＳ６５４）、その後、接続が切断される（ステップＳ６５５）。
【０２１４】
以上のように、実施の形態３−３においては、第２移動端末において、複数のデータ送信装置のいずれか一つを送信元として、マニュアルで選択できる。
［実施の形態３−４］
実施の形態３−４に係るデータ送受信システムは、図５８に示されるように、複数のデータ受信装置３０Ｂ，３０Ｃ，３０Ｄを含んでおり、かつ、データ送信装置５０Ｂが、データ受信装置３０Ｂ，３０Ｃ，３０Ｄのいずれか一つを送信先として、自動的に選択する手段を有している点で、実施の形態３−１と異なっている。なお、第２移動端末１０Ｂの動作手順は、実施の形態３−１と同様であり、第１移動端末１０およびデータ受信装置３０Ｂ，３０Ｃ，３０Ｄの動作手順は、実施の形態１−９と同様であるため、これらの説明は省略する。
【０２１５】
では、図５９を参照し、データ送信装置５０Ｂの動作手順を説明する。
【０２１６】
まず、ステップＳ６６１〜Ｓ６５５を実行することによって、データ受信装置３０Ｂ，３０Ｃ，３０Ｄの第１機器情報（図３２（Ａ）〜（Ｃ）参照）を合成して作成される第１機器情報（図３３参照）が、受信される。
【０２１７】
次に、第１機器情報に含まれるデータ受信装置３０Ｂ，３０Ｃ，３０Ｄの各データが、比較され、適切な送信先が選択される（ステップＳ６６６）。そして、送信先の仕様情報が使用され、送信用のデータが作成され（ステップＳ６６７）、送信先の接続情報に基づいて、送信先との接続が確立される（ステップＳ６６８）。次に、作成されたデータに送信され、その後、送信先との接続が切断される（ステップＳ６６９）。
【０２１８】
以上のように、実施の形態３−４においても、実施の形態１−９と同様に、移動端末の機能による制約を受けることなく、データ受信装置において、複数のデータ受信装置のいずれか一つを送信先として、自動的に選択できる。
［実施の形態３−５］
実施の形態３−５においては、第２移動端末が送信先をマニュアルで選択する手段を有している点で、実施の形態３−４と異なっている。なお、データ送信装置５０Ｂの動作手順は、実施の形態３−１と同様である、第１移動端末１０およびデータ受信装置３０Ｂ，３０Ｃ，３０Ｄの動作手順は、実施の形態３−４と同様であるため、これらの説明は省略する。
【０２１９】
では、図６０を参照し、第２移動端末の動作手順を、詳細に説明する。
【０２２０】
まず、ステップＳ６７１〜Ｓ６７４を実行することで、データ受信装置３０Ｂ，３０Ｃ，３０Ｄの第１機器情報（図３２（Ａ）〜（Ｃ）参照）を合成して作成される第１機器情報（図３３参照）が、受信される。次に、第１機器情報に基づいて、データ受信装置選択画面（図３７参照）が生成されて、表示される（ステップＳ６７５）。
【０２２１】
そして、ユーザによる選択入力の有無が判断される（ステップＳ６７６）。選択が完了したと判断される場合、データ送信装置との接続が確立される（ステップＳ６７７）。次に、選択された送信先の第１機器情報がデータ送信装置に送信され（ステップＳ６７８）、その後、データ送信装置との接続が切断される（ステップＳ６７９）。
【０２２２】
以上のように、実施の形態３−５においては、移動端末において、複数のデータ受信装置のいずれか一つを送信先として、マニュアルで選択できる。
［実施の形態４−１］
図６１に示されるデータ送受信システムは、コンピュータネットワーク９０を介して送信されるデータが、音声データの符号化データであり、第１装置３０Ｅおよび第２装置５０Ｅが音声データを符号化／復号化するためのコーデック手段を有している点で、実施の形態３−１と異なっている。つまり、実施の形態４−１に係るデータ送受信システムにおいては、第１移動端末１０と第２移動端末１０Ｂとは、コンピュータネットワーク９０を介して、通話を実行する。
【０２２３】
詳しくは、第１装置３０Ｅは、ローカル通信手段を使用して第１移動端末１０から送信される音声データを、コンピュータネットワーク９０を介して第２装置５０Ｅに送信するために符号化すると共に、コンピュータネットワーク９０を介して第２装置５０Ｅから送信される符号化データを音声データに復号し、ローカル通信手段を使用して第１移動端末１０に送信する。
【０２２４】
一方、第２装置５０Ｅは、ローカル通信手段を使用して第２移動端末１０Ｂから送信される音声データを、コンピュータネットワーク９０を介して第１装置３０Ｅに送信するために符号化すると共に、コンピュータネットワーク９０を介して第１装置３０Ｅから送信される符号化データを音声データに復号し、ローカル通信手段を使用して第２移動端末１０Ｂに送信する。
【０２２５】
次に、図６２のシーケンスチャートを参照し、データ送受信システムの通信手順を説明する。
【０２２６】
まず、第２移動端末１０Ｂに、送信指示が入力されると、実施の形態３−１と同様にして、コンピュータネットワーク９０を介して、第１装置３０Ｅと第２装置５０Ｅとの間の接続が確立され、その後、第１装置３０Ｅおよび第２装置５０Ｅは、第１移動端末１０および第２移動端末１０Ｂに、それぞれ通信確立通知を送信する。
【０２２７】
次に、第２移動端末１０Ｂは、第２装置５０Ｅからの通信確立通知を受信すると、ユーザから入力された音声データを、第２装置５０Ｅに送信する。第２装置５０Ｅは、第２移動端末１０Ｂからの音声データを、符号化して、コンピュータネットワーク９０を介して、第１装置３０Ｅに送信する。
【０２２８】
第１装置３０Ｅは、第２装置５０Ｅからの符号化データを、復号して、音声データとして、第１移動端末１０に送信し、第１移動端末１０において、再生される。
【０２２９】
また、第１移動端末１０は、ユーザから入力された音声データを、第１装置３０Ｅに送信する。第１装置３０Ｅは、第１移動端末１０からの音声データを、符号化して、コンピュータネットワーク９０を介して、第２装置５０Ｅに送信する。
【０２３０】
第２装置５０Ｅは、第１装置３０Ｅからの符号化データを、復号して、音声データとして、第２移動端末１０Ｂに送信し、第２移動端末１０Ｂにおいて、再生される。
【０２３１】
次に、図６３を参照し、第２装置５０Ｅの動作手順を、詳細に説明する。
【０２３２】
まず、ステップＳ７０１〜Ｓ７０２を実行することによって、第１装置３０Ｅの機器情報が、第２移動端末１０Ｂから受信される。なお、第１装置３０Ｅの機器情報は、例えば、図６４に示されるように、接続情報のみを含んでいる。
【０２３３】
次に、接続情報に基づいて、第１装置３０Ｅとの接続が確立すると（ステップＳ７０３）、第２移動端末１０Ｂに接続確認通知が送信される（ステップＳ７０４）。その後、第２移動端末１０Ｂからの音声データの受信の有無が判断される（ステップＳ７０５）。
【０２３４】
音声データが受信されたと判断される場合、当該音声データは符号化され（ステップＳ７０６）、第１装置３０Ｅに送信され（ステップＳ７０７）、プロセスは、ステップＳ７１１に進む。一方、音声データが受信されないと判断される場合、さらに、第１装置３０Ｅからの符号化データの受信の有無が判断される（ステップＳ７０８）。符号化データが受信されたと判断される場合、当該符号化データは復号され（ステップＳ７０９）、音声データとして第２移動端末１０Ｂに送信され（ステップＳ７１０）、プロセスは、ステップＳ７１１に進む。なお、符号化データが受信されない判断される場合、プロセスは、ステップＳ７１１に進む。
【０２３５】
ステップＳ７１１においては、通話の完了が判断される。通話が未完了であると判断される場合、プロセスはステップＳ７０５に復帰する。一方、通話が完了したと判断される場合、第１装置３０Ｅとの接続は切断される（ステップＳ７１２）。
【０２３６】
次に、図６５を参照し、第２移動端末１０Ｂの動作手順を、詳細に説明する。
【０２３７】
まず、ステップＳ７２１〜Ｓ７２４を実行することによって、第１移動端末１０から得られた第１装置３０Ｅの機器情報が、第２装置５０Ｅに送信される。
【０２３８】
次に、第２装置５０Ｅからの接続確認通知の受信の有無が判断される（ステップＳ７２５）。接続確認通知の受信が確認されると、音声入出力部のマイク部からの音声入力の有無が判断される（ステップＳ７２６）。
【０２３９】
音声が入力されていると判断される場合、当該音声は音声データに変換され（ステップＳ７２７）、第２装置５０Ｅに送信され（ステップＳ７２８）、プロセスは、ステップＳ７３１に進む。音声が入力されていない判断される場合、さらに、第２装置５０Ｅからの音声データの受信の有無が判断される（ステップＳ７２９）。音声データが受信されていると判断される場合、当該音声データは、音声入出力部のスピーカ部によって再生され（ステップＳ７３０）、プロセスは、ステップＳ７３１に進む。なお、音声データが受信されていないと判断される場合、プロセスは、ステップＳ７３１に進む。
【０２４０】
ステップＳ７３１においては、通話の完了が判断される。通話が未完了であると判断される場合、プロセスはステップＳ７２６に復帰する。一方、通話が完了したと判断される場合、プロセスは終了する。
【０２４１】
次に、図６６を参照し、第１移動端末１０の動作手順を、詳細に説明する。
【０２４２】
まず、ステップＳ７４１〜Ｓ７４５を実行することによって、第１装置３０Ｅの機器情報が、第２移動端末１０Ｂに送信される。
【０２４３】
次に、第１装置３０Ｅからの接続確認通知の受信の有無が判断される（ステップＳ７４６）。接続確認通知の受信が確認されると、音声入出力部のマイク部からの音声入力の有無が判断される（ステップＳ７４７）。
【０２４４】
音声が入力されていると判断される場合、当該音声は音声データに変換され（ステップＳ７４８）、第１装置３０Ｅに送信され（ステップＳ７４９）、プロセスは、ステップＳ７５３に進む。音声が入力されていない判断される場合、さらに、第１装置３０Ｅからの音声データの受信の有無が判断される（ステップＳ７５１）。音声データが受信されていると判断される場合、当該音声データは、音声入出力部のスピーカ部によって再生され（ステップＳ７５２）、プロセスは、ステップＳ７５３に進む。なお、音声データが受信されていないと判断される場合、プロセスは、ステップＳ７５３に進む。
【０２４５】
ステップＳ７５３においては、通話の完了が判断される。通話が未完了であると判断される場合、プロセスはステップＳ７４７に復帰する。一方、通話が完了したと判断される場合、プロセスは終了する。
【０２４６】
次に、図６７を参照し、第１装置３０Ｅの動作手順を、詳細に説明する。
【０２４７】
まず、ステップＳ７６１〜Ｓ７６３を実行することによって、第２装置５０Ｅとの接続が確立される。次に、第１移動端末１０に接続確認通知が送信される（ステップＳ７６４）。その後、第１移動端末１０からの音声データの受信の有無が判断される（ステップＳ７６５）。
【０２４８】
音声データが受信されたと判断される場合、当該音声データは符号化され（ステップＳ７６９）、第２装置５０Ｅに送信され（ステップＳ７７０）、プロセスは、ステップＳ７７１に進む。音声データが受信されないと判断される場合、さらに、第２装置５０Ｅからの符号化データの受信の有無が判断される（ステップＳ７６６）。符号化データが受信されたと判断される場合、当該符号化データは復号され（ステップＳ７６７）、音声データとして第１移動端末１０に送信され（ステップＳ７７６８）、プロセスは、ステップＳ７７１に進む。なお、符号化データが受信されない判断される場合、プロセスは、ステップＳ７７１に進む。
【０２４９】
ステップＳ７７１においては、通話の完了が判断される。通話が未完了であると判断される場合、プロセスはステップＳ７６５に復帰する。一方、通話が完了したと判断される場合、第２装置５０Ｅとの接続は切断される（ステップＳ７７２）。
【０２５０】
以上のように、実施の形態４−１においては、送信されるデータつまり音声データの符号化データに比べ、機器情報のデータ量は僅かであり、機器情報の送受信に要する移動端末の負荷は低い。一方、音声データの符号化データの送受信は、コンピュータネットワーク９０を介して実行されるため、移動端末の機能による制約を受けない。
【０２５１】
なお、本発明は、上述した実施の形態に限定されるものではなく、特許請求の範囲の範囲内で種々改変することができる。
【０２５２】
例えば、実施の形態１−３〜１−７は、任意に組み合わせて適用することが可能である。また、実施の形態１−１０あるいは実施の形態１−１１を、実施の形態３−２に適用し、データ受信装置において送信先をマニュアルで選択可能あるいは移動端末において送信先をマニュアルで選択可能とすることも可能である。
【０２５３】
【発明の効果】
以上説明した本発明によれば、データの送受信に関する汎用的な適用性を有する一方、移動端末の機能による制約を受けることなく、移動端末が有しない機能を、近距離に位置する別の装置を利用して実現できる。
【図面の簡単な説明】
【図１】  実施の形態１−１に係るデータ送受信システムの概念図である。
【図２】  実施の形態１−１に係るデータ送受信システムの一部を構成する移動端末のブロック図である。
【図３】  実施の形態１−１に係るデータ送受信システムの一部を構成するデータ受信装置のブロック図である。
【図４】  実施の形態１−１に係るデータ送受信システムの一部を構成するデータ送信装置のブロック図である。
【図５】  実施の形態１−１に係るデータ送受信システムの通信手順を説明するためのシーケンスチャートである。
【図６】  実施の形態１−１に係るデータ受信装置の機器情報の一例を示す図表である。
【図７】  実施の形態１−１に係るデータ送信装置の動作手順を説明するためのフローチャートである。
【図８】  実施の形態１−１に係る移動端末の動作手順を説明するためのフローチャートである。
【図９】  実施の形態１−１に係るデータ受信装置の動作手順を説明するためのフローチャートである。
【図１０】  実施の形態１−２に係るデータ送受信システムの概念図である。
【図１１】  実施の形態１−３に係るデータ送信装置の動作手順を説明するためのフローチャートである。
【図１２】  実施の形態１−３に係るデータ受信装置の機器情報の一例を示す図表である。
【図１３】  実施の形態１−３に係るデータ送信装置の液晶表示部の選択画面を示す図である。
【図１４】  実施の形態１−４に係る移動端末の動作手順を説明するためのフローチャートである。
【図１５】  実施の形態１−４に係る移動端末において編集された機器情報の一例を示す図表である。
【図１６】  実施の形態１−５に係るデータ送信装置の動作手順を説明するためのフローチャートである。
【図１７】  実施の形態１−５に係る機器情報の一例を示す図表である。
【図１８】  実施の形態１−５に係るデータ送信装置の液晶表示部のパスワード入力画面を示す図である。
【図１９】  実施の形態１−５に係るデータ受信装置の動作手順を説明するためのフローチャートである。
【図２０】  実施の形態１−６に係る移動端末の動作手順を説明するためのフローチャートである。
【図２１】  実施の形態１−６に係る移動端末の液晶表示部のパスワード入力画面を示す図である。
【図２２】  実施の形態１−７に係るデータ送信装置の動作手順を説明するためのフローチャートである。
【図２３】  実施の形態１−７に係る移動端末の動作手順を説明するためのフローチャートである。
【図２４】  実施の形態１−７に係る移動端末の液晶表示部の送信選択画面を示す図である。
【図２５】  実施の形態１−８に係るデータ送受信システムの通信手順を説明するためのシーケンスチャートである。
【図２６】  実施の形態１−８に係るデータ送信装置の動作手順を説明するためのフローチャートである。
【図２７】  実施の形態１−８に係る移動端末の動作手順を説明するためのフローチャートである。
【図２８】  実施の形態１−８に係る移動端末の液晶表示部の送信待機選択画面を示す図である。
【図２９】  実施の形態１−８に係る移動端末の液晶表示部の送信開始選択画面を示す図である。
【図３０】  実施の形態１−９に係るデータ送受信システムの概念図である。
【図３１】  実施の形態１−９に係るデータ送受信システムの通信手順を説明するためのシーケンスチャートである。
【図３２】  実施の形態１−９に係るデータ受信装置の機器情報の一例を示す図表である。
【図３３】  実施の形態１−９に係る移動端末において編集された機器情報の一例を示す図表である。
【図３４】  実施の形態１−９に係るデータ送信装置の動作手順を説明するためのフローチャートである。
【図３５】  実施の形態１−９に係る移動端末の動作手順を説明するためのフローチャートである。
【図３６】  実施の形態１−１０に係るデータ送信装置の動作手順を説明するためのフローチャートである。
【図３７】  実施の形態１−１０に係るデータ送信装置の液晶表示部のデータ受信装置選択画面を示す図である。
【図３８】  実施の形態１−１１に係る移動端末の動作手順を説明するためのフローチャートである。
【図３９】  実施の形態２−１に係るデータ送受信システムの通信手順を説明するためのシーケンスチャートである。
【図４０】  実施の形態２−１に係るデータ送信装置の動作手順を説明するためのフローチャートである。
【図４１】  実施の形態２−１に係る移動端末の動作手順を説明するためのフローチャートである。
【図４２】  実施の形態２−１に係るデータ受信装置の動作手順を説明するためのフローチャートである。
【図４３】  実施の形態２−２に係るデータ送信装置の動作手順を説明するためのフローチャートである。
【図４４】  実施の形態２−２に係る移動端末の動作手順を説明するためのフローチャートである。
【図４５】  実施の形態３−１に係るデータ送受信システムの概念図である。
【図４６】  実施の形態３−１に係るデータ送受信システムの通信手順を説明するためのシーケンスチャートである。
【図４７】  実施の形態３−１に係る第２移動端末の動作手順を説明するためのフローチャートである。
【図４８】  実施の形態３−１に係るデータ送信装置の動作手順を説明するためのフローチャートである。
【図４９】  実施の形態３−１に係る第１移動端末の動作手順を説明するためのフローチャートである。
【図５０】  実施の形態３−２に係るデータ送受信システムの概念図である。
【図５１】  実施の形態３−２に係るデータ送受信システムの通信手順を説明するためのシーケンスチャートである。
【図５２】  実施の形態３−２に係る第２移動端末の動作手順を説明するためのフローチャートである。
【図５３】  実施の形態３−２に係る機器情報の一例を示す図表である。
【図５４】  実施の形態３−２に係る第２移動端末の液晶表示部のデータ送信装置指示画面を示す図である。
【図５５】  実施の形態３−２に係るデータ送信装置の動作手順を説明するためのフローチャートである。
【図５６】  実施の形態３−３に係る第２移動端末の動作手順を説明するためのフローチャートである。
【図５７】  実施の形態３−３に係る第２移動端末の液晶表示部のデータ送信装置選択画面を示す図である。
【図５８】  実施の形態３−４に係るデータ送受信システムの概念図である。
【図５９】  実施の形態３−４に係るデータ送信装置の動作手順を説明するためのフローチャートである。
【図６０】  実施の形態３−５に係る第２移動端末の動作手順を説明するためのフローチャートである。
【図６１】  実施の形態４−１に係るデータ送受信システムの概念図である。
【図６２】  実施の形態４−１に係るデータ送受信システムの通信手順を説明するためのシーケンスチャートである。
【図６３】  実施の形態４−１に係る第２装置の動作手順を説明するためのフローチャートである。
【図６４】  実施の形態４−１に係る機器情報の一例を示す図表である。
【図６５】  実施の形態４−１に係る第２移動端末の動作手順を説明するためのフローチャートである。
【図６６】  実施の形態４−１に係る第１移動端末の動作手順を説明するためのフローチャートである。
【図６７】  実施の形態４−１に係る第１装置の動作手順を説明するためのフローチャートである。
【符号の説明】
１０，１０Ａ，１０Ｂ…移動端末、
１１…制御部（ＣＰＵ）、
１２…読取専用記憶装置（ＲＯＭ）、
１３…ランダムアクセス記憶装置（ＲＡＭ）、
１４…データ処理部、
１５…操作部、
１６…音声入出力部、
１７，１８…インターフェイス部、
１９…バッテリー部、
２０…バス、
３０，３０Ａ〜３０Ｅ…データ受信装置（第１装置）、
３１…制御部（ＣＰＵ）、
３２…読取専用記憶装置（ＲＯＭ）、
３３…ランダムアクセス記憶装置（ＲＡＭ）、
３４…データ処理部、
３５…操作部、
３６…画像読取部、
３７…印刷部、
３８，３９…インターフェイス部、
４０…バス、
５０，５０Ａ〜５０Ｅ…データ送信装置（第２装置）、
５１…制御部（ＣＰＵ）、
５２…読取専用記憶装置（ＲＯＭ）、
５３…ランダムアクセス記憶装置（ＲＡＭ）、
５４…データ処理部、
５５…操作部、
５６…画像読取部、
５７…印刷部、
５８，５９…インターフェイス部、
６０…バス、
７０…移動通信ネットワーク、
７１，７３…基地局、
７２…移動通信交換機、
７４…移動関門交換機、
７５…相互接続点、
８０…固定電話ネットワーク、
８２…中継交換機、
８３…加入者線交換機、
９０…コンピュータネットワーク。
【図１】
0004461601.tif 000002
【図２】
0004461601.tif 000003
【図３】
0004461601.tif 000004
【図４】
0004461601.tif 000005
【図５】
0004461601.tif 000006
【図６】
0004461601.tif 000007
【図７】
0004461601.tif 000008
【図８】
0004461601.tif 000009
【図９】
0004461601.tif 000010
【図１０】
0004461601.tif 000011
【図１１】
0004461601.tif 000012
【図１２】
0004461601.tif 000013
【図１３】
0004461601.tif 000014
【図１４】
0004461601.tif 000015
【図１５】
0004461601.tif 000016
【図１６】
0004461601.tif 000017
【図１７】
0004461601.tif 000018
【図１８】
0004461601.tif 000019
【図１９】
0004461601.tif 000020
【図２０】
0004461601.tif 000021
【図２１】
0004461601.tif 000022
【図２２】
0004461601.tif 000023
【図２３】
0004461601.tif 000024
【図２４】
0004461601.tif 000025
【図２５】
0004461601.tif 000026
【図２６】
0004461601.tif 000027
【図２７】
0004461601.tif 000028
【図２８】
0004461601.tif 000029
【図２９】
0004461601.tif 000030
【図３０】
0004461601.tif 000031
【図３１】
0004461601.tif 000032
【図３２】
0004461601.tif 000033
【図３３】
0004461601.tif 000034
【図３４】
0004461601.tif 000035
【図３５】
0004461601.tif 000036
【図３６】
0004461601.tif 000037
【図３７】
0004461601.tif 000038
【図３８】
0004461601.tif 000039
【図３９】
0004461601.tif 000040
【図４０】
0004461601.tif 000041
【図４１】
0004461601.tif 000042
【図４２】
0004461601.tif 000043
【図４３】
0004461601.tif 000044
【図４４】
0004461601.tif 000045
【図４５】
0004461601.tif 000046
【図４６】
0004461601.tif 000047
【図４７】
0004461601.tif 000048
【図４８】
0004461601.tif 000049
【図４９】
0004461601.tif 000050
【図５０】
0004461601.tif 000051
【図５１】
0004461601.tif 000052
【図５２】
0004461601.tif 000053
【図５３】
0004461601.tif 000054
【図５４】
0004461601.tif 000055
【図５５】
0004461601.tif 000056
【図５６】
0004461601.tif 000057
【図５７】
0004461601.tif 000058
【図５８】
0004461601.tif 000059
【図５９】
0004461601.tif 000060
【図６０】
0004461601.tif 000061
【図６１】
0004461601.tif 000062
【図６２】
0004461601.tif 000063
【図６３】
0004461601.tif 000064
【図６４】
0004461601.tif 000065
【図６５】
0004461601.tif 000066
【図６６】
0004461601.tif 000067
【図６７】
0004461601.tif 000068